(57)【要約】      （修正有）【課題】二段詰め用容器へのイチゴの二段詰め作業を、簡易、迅速に行うことができ、作業性を向上させ、整然ときれいに並べることができるようにする。【解決手段】イチゴを上下に重ねて二段に詰めることのできる二段重ね用のイチゴ容器１であり、容器の底に、イチゴを一個ずつセットすることができる凹部４が複数ある。凹部は容器の底が窪んでいるもの、又は容器の底に窪みのあるシート又は孔の開いているシートを配置して形成されたものである。凹部はセットされたイチゴが安定する形状、サイズ、深さである。【選択図】図１
2020117272.tif 000002
【特許請求の範囲】
【請求項１】
イチゴを上下に重ねて二段に詰めることのできる二段重ね用イチゴ容器であり、
容器の底の内面にイチゴを一個ずつセットすることのできる凹部が複数ある、
ことを特徴とする二段重ね用イチゴ容器。
【請求項２】
請求項１記載の二段重ね用イチゴ容器において、
凹部が容器の底が外底面側に窪んでいる、
ことを特徴とする二段重ね用イチゴ容器。
【請求項３】
請求項１記載の二段重ね用イチゴ容器において、
凹部が、容器の底に窪みのあるシート又は孔のあいているシートを配置して形成されたものである、
ことを特徴とする二段重ね用イチゴ容器。
【請求項４】
請求項１から請求項３のいずれか１項に記載の二段重ね用イチゴ容器において、
凹部は、セットされたイチゴが安定する形状、サイズ、深さである、
ことを特徴とする二段重ね用イチゴ容器。
【請求項５】
請求項１から請求項４のいずれか１項に記載の二段重ね用イチゴ容器を使用し、
そのイチゴ容器の底の個々の凹部にイチゴを一個ずつ並べ、これらイチゴの上に仕切りを敷いて又は仕切りを敷くことなく直にイチゴを並べて二段に詰めた、
ことを特徴とする二段重ねイチゴ包装体。
【発明の詳細な説明】
【技術分野】
【０００１】
本発明は二段重ね用イチゴ容器と、その容器にイチゴを上下二段に重ねて詰めた二段重ねイチゴ包装体に関する。
【背景技術】
【０００２】
イチゴは容器に収容して販売されている。イチゴ販売用容器には各種形状、構造のものがある。主なものとして一段式容器と二段式容器がある（特許文献１）。いずれも樹脂製である。
【０００３】
一段式容器はイチゴを容器内に縦横に一段だけ並べることのできる浅いトレー状であり、二段式容器は容器の底の上に一段並べ、その上に、イチゴを重ねて並べることのできる深い容器である。
【０００４】
二段式容器は、容器の底の上に一段並べ、その上に、イチゴを重ねて並べて、容器に詰めている（パック詰めしている）。このパック詰め作業はほとんどが人手作業で行っているのが現状である。
【０００５】
図５のように、従来の二段式容器Ａは底Ｂの内面が平ら（平面）であるため、底に並べたイチゴＣが傾いたり、倒れたり、位置ずれしたりし易い。このため、下段のイチゴの上にイチゴを載せにくい。そこで、従来は、下段のイチゴの上にイチゴを並べるときは、先に並べた下段のイチゴを指で支えながら、その上にイチゴを載せている。このため、二段詰め用容器へのイチゴの二段詰め作業は時間がかかり、作業性が悪いという問題があった。未熟練者の場合は、時間がかかるだけでなく、上下二段に体裁よくパック詰めすることも難しく、イチゴを整然ときれいに並べることが難しいという問題もある。特に、イチゴは形崩れし易く、パック詰め時に人手が長い間イチゴに触れているとイチゴの鮮度が低下し品質劣化の一因にもなる。
【先行技術文献】
【特許文献】
【０００６】
【特許文献１】特開２０１４−０８４１３５号公報
【発明の概要】
【発明が解決しようとする課題】
【０００７】
本発明の課題は、二段詰め用容器へのイチゴの二段詰め作業を、簡易に且つ迅速に行うことができ、作業性が向上し、整然と並べることができるようにすることにある。
【課題を解決するための手段】
【０００８】
本発明の二段重ね用イチゴ容器は、イチゴを上下に重ねて二段に詰めることのできるイチゴ容器であり、容器の底面にイチゴを一個ずつセットすることのできる窪み（凹部）を複数設けたものである。底面の凹部は、窪みのあるシート又は孔のあいているシートを敷いて形成することもできる。いずれの場合も、凹部はセットされたイチゴが安定する形状、サイズ、深さにしてある。
【０００９】
本発明の二段重ねイチゴ包装体は、二段重ね用イチゴ容器の凹部にイチゴを並べ、そのイチゴの上に直に又はシートを敷いてその上にイチゴを重ねて詰めたものである。
【発明の効果】
【００１０】
本発明の二段重ね用イチゴ容器は次のような効果がある。
（１）凹部があるので、凹部にセットされたイチゴが指で支持しなくても安定し、下段のイチゴの上に上段のイチゴを重ねて載せ易くなる。また、イチゴに指が触れることが少なくなるので、品質も劣化しにくくなる。
（２）簡易且つ迅速に、整然と二段重ねでイチゴを詰めることができ、作業性が向上する。
（３）イチゴをロボットで自動的に収容して位置決めでき、安定するので、二段重ねが容易になる。
【００１１】
本発明の二段重ねイチゴ包装体は、凹部に並べた下段のイチゴの上にイチゴを重ねて詰めてあるので、上段のイチゴも安定し、整然と整列し、体裁がよい。
【図面の簡単な説明】
【００１２】
【図１】本発明の二段重ね用イチゴ容器の平面図。
【図２】（ａ）は図１のＡ−Ａ断面図、（ｂ）はＢ−Ｂ断面図。
【図３】（ａ）は本発明の二段重ね用イチゴ容器の他例の縦断面図、（ｂ）は（ａ）におけるシートの斜視図。
【図４】（ａ）（ｂ）は本発明の二段重ねイチゴ包装体の異なる例の断面図。
【図５】従来の二段重ねイチゴ包装体の断面図。
【発明を実施するための形態】
【００１３】
（二段重ね用イチゴ容器の実施形態１）
本発明の二段重ね用イチゴ容器の一例を図１、図２（ａ）（ｂ）に基づいて説明する。この二段重ね用イチゴ容器１は汎用の二段重ね用イチゴ容器と同様に樹脂製であり、イチゴ２を上下二段に重ねて詰めることができる深さである。
【００１４】
二段重ね用イチゴ容器１は底面３に凹部４がある。凹部４は底面の外側に突出している。図１の凹部４は縦横に並んでいるが、多少斜めに配列することもできる。凹部４は容器成形時に成形することも、容器成形後に成形することもできる。
【００１５】
凹部４はイチゴ２を横向きにして一個ずつセットすることができ、セットされたイチゴ２が安定する形状、サイズ、深さである。凹部４の形状は横向きにしたイチゴ２の下側の形状と略同様の形状にすると、セットしたイチゴ２が安定し易くなる。
【００１６】
凹部４は縦横に複数ずつ並べてある。凹部４の縦横の数は任意数とすることができる。凹部４の深さはイチゴ２の下側約１／３程度が収まる深さにして、凹部４に載せた（セットした）イチゴ２の上側が凹部４の上方に突出するようにしてある。
【００１７】
複数の凹部４の形状、サイズ、深さ等は同じであってもよく、異なるものであってもよい。凹部４は図４（ａ）のように円弧状に窪んでいてもよいが、イチゴは蔓側が肉厚であり、先端側が肉薄或いは細いため、その形状に合わせてやや横長にし、長手方向一端側を深く窪ませておき、その深い方にイチゴのへた側を載せることもできる。横長の場合、向きや深さは全て同じでもよく、セットし易ければ逆向きにしてもよい。
【００１８】
（二段重ね用イチゴ容器の実施形態２）
本発明の二段重ね用イチゴ容器の他例を図３（ａ）（ｂ）に基づいて説明する。図３（ａ）の二段重ね用イチゴ容器１も樹脂製であり、イチゴ２を上下二段に重ねて詰めることができる深さである。図３（ａ）ではイチゴ容器１の底面３が平面であり、その上にシート５を敷いて凹部７を形成してある。このシート５は縦横に孔６が開口されているものである。シート５の凹部４は図２（ａ）（ｂ）のような窪みであってもよい。孔６は実施形態１の凹部４と同様に、イチゴ２を横向きにして一個ずつセットすることができ、セットされたイチゴが安定する形状、サイズ、深さである。
【００１９】
（二段重ねイチゴ包装体の実施形態）
本発明の二段重ね用イチゴ容器１には、次のようにしてイチゴ２を詰めて、二段重ねイチゴ包装体とすることができる。
イチゴ容器１の底面３の個々の凹部４に、イチゴ２を一個ずつ横向にセットする。この場合、図４（ａ）のように下段のイチゴ２も、上段のイチゴ２も横向きにセットすることも、図４（ｂ）のように下段のイチゴ２のへた８をやや下向き、先端側をやや上向きにしての斜めにセットすることもできる。イチゴの向きは任意とすることができる。
【００２０】
全ての凹部４にセットし終えたら、そのイチゴ２（下段のイチゴ）の上に仕切り９を敷き、又は、仕切り９を敷かずに下段のイチゴ２の上に直に、イチゴ（上段のイチゴ）２を載せる。
【００２１】
上段のイチゴの上からフィルム或いは蓋を被せる。
【００２２】
図４（ａ）（ｂ）では下段と上段のイチゴ２の間に仕切り９を敷いてある。仕切り９は薄いウレタンシートでも他の材質製でもよく、孔や窪みのあるシートでも、それらがないシートでもよい。仕切り９は敷かなくてもよい。
【産業上の利用可能性】
【００２３】
本発明は前記した実施形態に限定されるものではなく、本発明の課題を解決できる範囲で設計変更可能である。
【００２４】
本発明の二段重ね用イチゴ容器は底面に凹部があるので、ロボットで自動的に収容するのに適する。本発明の二段重ねイチゴ包装体に並べるイチゴの数、向き、配置等は、実施形態以外の任意とすることができる。
【符号の説明】
【００２５】
１    二段重ね用イチゴ容器
２    イチゴ
３    （イチゴ容器の）底面
４    凹部
５    シート
６    孔
７    凹部
８    へた
９    仕切り
Ａ    二段式容器
Ｂ    底
Ｃ    イチゴ
【図１】
2020117272.tif 000003
【図２】
2020117272.tif 000004
【図３】
2020117272.tif 000005
【図４】
2020117272.tif 000006
【図５】
2020117272.tif 000007